(57)【要約】【課題】クロノグラフ機能を備えた時計等、複数の針と当該針をそれぞれ運針させる複数のモータとを備えた電子時計において、指針の運針のムラを除去することのできる電子時計を提供する。【解決手段】クロノグラフ針の駆動タイミング信号を出力した際に読み取った内部カウンタがカウントした値と、カウント値記憶部に予め記憶されているカウント値とを比較して一致する場合に、時刻針の駆動タイミング信号とクロノグラフ針の駆動タイミング信号が重なると判定し、時刻針の駆動タイミングを遅らせるか早めるかの何れかの処理を行う。【選択図】図１
2011169750.tif 000002
【特許請求の範囲】
【請求項１】
複数の針と当該針をそれぞれ運針させる複数のモータとを備えた電子時計であって、
１秒当たりの基準周期数に基づいて、当該基準周期ごとに前記針の運針の基準を示す基準クロックを出力する基準クロック出力部と、
前記複数の針の内、時刻針の駆動タイミング信号を、前記基準クロックに基づく時刻針駆動周期ごとに出力する時刻針駆動タイミング発生部と、
前記複数の針の内、クロノグラフ針の動作開始信号を検出する動作検出部と、
前記動作開始信号の検出後、前記クロノグラフ針の駆動タイミング信号を、前記基準クロックに基づくクロノグラフ針駆動周期ごとに出力するクロノグラフ針駆動タイミング発生部と、
前記時刻針の駆動タイミング信号と前記クロノグラフ針の駆動タイミング信号が重なるかを判定するタイミング重複判定部と、
前記時刻針の駆動タイミング信号と前記クロノグラフ針の駆動タイミング信号が重なると判定した場合に、前記時刻針の駆動タイミング信号の出力を遅らせる駆動タイミング変更要求を前記時刻針駆動タイミング発生部へ送信するか、または前記クロノグラフ針の駆動タイミング信号の出力を遅らせる駆動タイミング変更要求を前記クロノグラフ針駆動タイミング発生部へ送信するか、または、前記時刻針の駆動タイミング信号の出力を早める駆動タイミング変更要求を前記時刻針駆動タイミング発生部へ送信するか、の何れかの処理を行う駆動タイミング信号変更部と、
を備えることを特徴とする電子時計。
【請求項２】
１秒当たりの前記基準クロックの出力数を１秒ごとに繰り返しカウントする内部カウンタと、
前記クロノグラフ針の駆動タイミング信号を出力した際に、前記内部カウンタがカウントした値を読み取るカウント値読み取り部と、
前記時刻針の駆動タイミングと一致する前記内部カウンタのカウント値を予め記憶するカウント値記憶部と、を備え、
前記タイミング重複判定部は、前記クロノグラフ針の駆動タイミング信号を出力した際に読み取った前記内部カウンタがカウントした値と、前記カウント値記憶部に予め記憶されているカウント値とを比較して一致する場合に、前記時刻針の駆動タイミング信号と前記クロノグラフ針の駆動タイミング信号が重なると判定する
ことを特徴とする請求項１に記載の電子時計。
【請求項３】
前記駆動タイミング信号変更部は、前記時刻針の駆動タイミング信号のパルス幅分の時間と前記クロノグラフ針の駆動タイミング信号のパルス幅分の時間とを加算した時間以上で、前記クロノグラフ針の駆動タイミング信号の送信間隔の時間から時刻針の駆動タイミング信号のパルス幅を引いた時間もしくはクロノグラフ針の駆動タイミング信号のパルス幅を引いた時間未満の時間分、遅らせるまたは早める駆動タイミング変更要求を送信する
ことを特徴とする請求項１または請求項２の何れかに記載の電子時計。
【請求項４】
複数の針と当該針をそれぞれ運針させる複数のモータとを備えた電子時計の処理方法であって、
基準クロック出力部が、１秒当たりの基準周期数に基づいて、当該基準周期ごとに前記針の運針の基準を示す基準クロックを出力し、
時刻針駆動タイミング発生部が、前記複数の針の内、時刻針の駆動タイミング信号を、前記基準クロックに基づく時刻針駆動周期ごとに出力し、
動作検出部が、前記複数の針の内、クロノグラフ針の動作開始信号を検出し、
クロノグラフ針駆動タイミング発生部が、前記動作開始信号の検出後、前記クロノグラフ針の駆動タイミング信号を、前記基準クロックに基づくクロノグラフ針駆動周期ごとに出力し、
タイミング重複判定部が、前記時刻針の駆動タイミング信号と前記クロノグラフ針の駆動タイミング信号が重なるかを判定し、
駆動タイミング信号変更部が、前記時刻針の駆動タイミング信号と前記クロノグラフ針の駆動タイミング信号が重なると判定した場合に、前記時刻針の駆動タイミング信号の出力を遅らせる駆動タイミング変更要求を前記時刻針駆動タイミング発生部へ送信するか、または前記クロノグラフ針の駆動タイミング信号の出力を遅らせる駆動タイミング変更要求を前記クロノグラフ針駆動タイミング発生部へ送信するか、または、前記時刻針の駆動タイミング信号の出力を早める駆動タイミング変更要求を前記時刻針駆動タイミング発生部へ送信するか、の何れかの処理を行う
ことを特徴とする処理方法。
【請求項５】
複数の針と当該針をそれぞれ運針させる複数のモータとを備えた電子時計のコンピュータを、
１秒当たりの基準周期数に基づいて、当該基準周期ごとに前記針の運針の基準を示す基準クロックを出力する基準クロック出力手段、
前記複数の針の内、時刻針の駆動タイミング信号を、前記基準クロックに基づく時刻針駆動周期ごとに出力する時刻針駆動タイミング発生手段、
前記複数の針の内、クロノグラフ針の動作開始信号を検出する動作検出手段、
前記動作開始信号の検出後、前記クロノグラフ針の駆動タイミング信号を、前記基準クロックに基づくクロノグラフ針駆動周期ごとに出力するクロノグラフ針駆動タイミング発生手段、
前記時刻針の駆動タイミング信号と前記クロノグラフ針の駆動タイミング信号が重なるかを判定するタイミング重複判定手段、
前記時刻針の駆動タイミング信号と前記クロノグラフ針の駆動タイミング信号が重なると判定した場合に、前記時刻針の駆動タイミング信号の出力を遅らせる駆動タイミング変更要求を前記時刻針駆動タイミング発生手段へ送信するか、または前記クロノグラフ針の駆動タイミング信号の出力を遅らせる駆動タイミング変更要求を前記クロノグラフ針駆動タイミング発生手段へ送信するか、または、前記時刻針の駆動タイミング信号の出力を早める駆動タイミング変更要求を前記時刻針駆動タイミング発生手段へ送信するか、の何れかの処理を行う駆動タイミング信号変更手段、
として機能させることを特徴とするプログラム。
【発明の詳細な説明】
【技術分野】
【０００１】
本発明は、複数の針と当該針をそれぞれ運針させる複数のモータとを備えた電子時計およびその処理方法とプログラムに関する。
【背景技術】
【０００２】
複数のモータにより複数の指針（秒針や時分針）それぞれを駆動する電子時計において、第１モータの駆動パルス出力中に第２モータの駆動パルスが出力された場合、第１モータの駆動パルス出力後まで第２駆動パルスを待たせから出力させパルスが重ならないようにし、指針の運針見栄えの向上を計ったものが特許文献１に開示されている。
【先行技術文献】
【特許文献】
【０００３】
【特許文献１】特開２００５−２３３６１７号公報
【発明の概要】
【発明が解決しようとする課題】
【０００４】
ここで、ストップウオッチのように針（以下、クロノグラフ針と呼ぶ）の発進・停止を自由にできるクロノグラフ機能を備えた時計においても、当該クロノグラフ針の動作タイミングが、秒針や分針など（以下、時刻針と呼ぶ）の動作タイミングと重なる場合、電池電圧が低下して正常な動作が行えない。従って、従来、クロノグラフ針の動作タイミングと、時刻針の動作タイミングとが重なる場合、どちらかの動作タイミングをずらして動作タイミングが重ならないように制御していた。
【０００５】
しかしながら、上述のような制御手法であると、例えばクロノグラフ針の動作タイミングが途中で一瞬停止するため、運針にムラが生じてしまうという問題が発生している。
【０００６】
そこでこの発明は、クロノグラフ機能を備えた時計等、複数の針と当該針をそれぞれ運針させる複数のモータとを備えた電子時計において、指針の運針のムラを除去することのできる電子時計およびその処理方法とプログラムを提供することを目的としている。
【課題を解決するための手段】
【０００７】
上記目的を達成するために、本発明は、複数の針と当該針をそれぞれ運針させる複数のモータとを備えた電子時計であって、１秒当たりの基準周期数に基づいて、当該基準周期ごとに前記針の運針の基準を示す基準クロックを出力する基準クロック出力部と、前記複数の針の内、時刻針の駆動タイミング信号を、前記基準クロックに基づく時刻針駆動周期ごとに出力する時刻針駆動タイミング発生部と、前記複数の針の内、クロノグラフ針の動作開始信号を検出する動作検出部と、前記動作開始信号の検出後、前記クロノグラフ針の駆動タイミング信号を、前記基準クロックに基づくクロノグラフ針駆動周期ごとに出力するクロノグラフ針駆動タイミング発生部と、前記時刻針の駆動タイミング信号と前記クロノグラフ針の駆動タイミング信号が重なるかを判定するタイミング重複判定部と、前記時刻針の駆動タイミング信号と前記クロノグラフ針の駆動タイミング信号が重なると判定した場合に、前記時刻針の駆動タイミング信号の出力を遅らせる駆動タイミング変更要求を前記時刻針駆動タイミング発生部へ送信するか、または前記クロノグラフ針の駆動タイミング信号の出力を遅らせる駆動タイミング変更要求を前記クロノグラフ針駆動タイミング発生部へ送信するか、または、前記時刻針の駆動タイミング信号の出力を早める駆動タイミング変更要求を前記時刻針駆動タイミング発生部へ送信するか、の何れかの処理を行う駆動タイミング信号変更部と、を備えることを特徴とする電子時計である。
【０００８】
また本発明は、上述の電子時計において、１秒当たりの前記基準クロックの出力数を１秒ごとに繰り返しカウントする内部カウンタと、前記クロノグラフ針の駆動タイミング信号を出力した際に、前記内部カウンタがカウントした値を読み取るカウント値読み取り部と、前記時刻針の駆動タイミングと一致する前記内部カウンタのカウント値を予め記憶するカウント値記憶部と、を備え、前記タイミング重複判定部は、前記クロノグラフ針の駆動タイミング信号を出力した際に読み取った前記内部カウンタがカウントした値と、前記カウント値記憶部に予め記憶されているカウント値とを比較して一致する場合に、前記時刻針の駆動タイミング信号と前記クロノグラフ針の駆動タイミング信号が重なると判定することを特徴とする。
【０００９】
また本発明は、上述の電子時計において、前記駆動タイミング信号変更部は、前記時刻針の駆動タイミング信号のパルス幅分の時間と前記クロノグラフ針の駆動タイミング信号のパルス幅分の時間とを加算した時間以上で、前記クロノグラフ針の駆動タイミング信号の送信間隔の時間から時刻針の駆動タイミング信号のパルス幅を引いた時間もしくはクロノグラフ針の駆動タイミング信号のパルス幅を引いた時間未満の時間分、遅らせるまたは早める駆動タイミング変更要求を送信することを特徴とする。
【００１０】
また本発明は、複数の針と当該針をそれぞれ運針させる複数のモータとを備えた電子時計の処理方法であって、基準クロック出力部が、１秒当たりの基準周期数に基づいて、当該基準周期ごとに前記針の運針の基準を示す基準クロックを出力し、時刻針駆動タイミング発生部が、前記複数の針の内、時刻針の駆動タイミング信号を、前記基準クロックに基づく時刻針駆動周期ごとに出力し、動作検出部が、前記複数の針の内、クロノグラフ針の動作開始信号を検出し、クロノグラフ針駆動タイミング発生部が、前記動作開始信号の検出後、前記クロノグラフ針の駆動タイミング信号を、前記基準クロックに基づくクロノグラフ針駆動周期ごとに出力し、タイミング重複判定部が、前記時刻針の駆動タイミング信号と前記クロノグラフ針の駆動タイミング信号が重なるかを判定し、駆動タイミング信号変更部が、前記時刻針の駆動タイミング信号と前記クロノグラフ針の駆動タイミング信号が重なると判定した場合に、前記時刻針の駆動タイミング信号の出力を遅らせる駆動タイミング変更要求を前記時刻針駆動タイミング発生部へ送信するか、または前記クロノグラフ針の駆動タイミング信号の出力を遅らせる駆動タイミング変更要求を前記クロノグラフ針駆動タイミング発生部へ送信するか、または、前記時刻針の駆動タイミング信号の出力を早める駆動タイミング変更要求を前記時刻針駆動タイミング発生部へ送信するか、の何れかの処理を行うことを特徴とする処理方法である。
【００１１】
また本発明は、複数の針と当該針をそれぞれ運針させる複数のモータとを備えた電子時計のコンピュータを、１秒当たりの基準周期数に基づいて、当該基準周期ごとに前記針の運針の基準を示す基準クロックを出力する基準クロック出力手段、前記複数の針の内、時刻針の駆動タイミング信号を、前記基準クロックに基づく時刻針駆動周期ごとに出力する時刻針駆動タイミング発生手段、前記複数の針の内、クロノグラフ針の動作開始信号を検出する動作検出手段、前記動作開始信号の検出後、前記クロノグラフ針の駆動タイミング信号を、前記基準クロックに基づくクロノグラフ針駆動周期ごとに出力するクロノグラフ針駆動タイミング発生手段、前記時刻針の駆動タイミング信号と前記クロノグラフ針の駆動タイミング信号が重なるかを判定するタイミング重複判定手段、前記時刻針の駆動タイミング信号と前記クロノグラフ針の駆動タイミング信号が重なると判定した場合に、前記時刻針の駆動タイミング信号の出力を遅らせる駆動タイミング変更要求を前記時刻針駆動タイミング発生手段へ送信するか、または前記クロノグラフ針の駆動タイミング信号の出力を遅らせる駆動タイミング変更要求を前記クロノグラフ針駆動タイミング発生手段へ送信するか、または、前記時刻針の駆動タイミング信号の出力を早める駆動タイミング変更要求を前記時刻針駆動タイミング発生手段へ送信するか、の何れかの処理を行う駆動タイミング信号変更手段、として機能させることを特徴とするプログラムである。
【発明の効果】
【００１２】
本発明によれば、クロノグラフの動作の開始を検出後、直ちに時刻針とクロノグラフ針の駆動タイミングが重なるかを当該重なる事象が発生する前に判定して、重なる場合には、時刻針、またはクロノグラフ針の一方を他方の駆動タイミングと重ならないようにずらすため、どのようなタイミングでクロノグラフの動作開始が指示されても、各指針の運針動作のムラが軽減でき、見栄えを良くすることができる。
【図面の簡単な説明】
【００１３】
【図１】電子時計の機能構成を示す第１のブロック図である。
【図２】タイミング変更前の電子時計内部の各信号のタイミング状態を示す図である。
【図３】タイミング変更後の電子時計内部の各信号のタイミング状態を示す第１の図である。
【図４】タイミング変更後の電子時計内部の各信号のタイミング状態を示す第２の図である。
【図５】電子時計の動作のフローを示す図である。
【図６】電子時計の機能構成を示す第２のブロック図である。
【図７】タイミング変更後の電子時計内部の各信号のタイミング状態を示す第３の図である。
【発明を実施するための形態】
【００１４】
以下、本発明の一実施形態による電子時計を図面を参照して説明する。
図１は同実施形態による電子時計の機能構成を示す第１のブロック図である。
この図において、符号１は電子時計である。そして電子時計１は、時間針や分針や秒針などの時刻針を駆動する時刻用モータ１１、時刻用モータを制御する時刻用モータ駆動部１２、時刻針の駆動タイミング信号を時刻針駆動周期ごとに発生させる時刻針駆動タイミング発生部１３、基準クロックをカウントする内部カウンタ１４、クロノグラフ針を駆動するクロノグラフ用モータ１５、クロノグラフ用モータを制御するクロノグラフ用モータ駆動部１６、クロノグラフ針の駆動タイミング信号を発生させるクロノグラフ針駆動タイミング発生部１７、制御部１８、クロノグラフ針の動作開始または動作停止をユーザが入力するためのスイッチ１９、１秒間に３２,７６８Ｈｚの信号を発振する発振回路２０、発振回路２０の発振した信号に基づいて所定周波数の時刻計時用クロック信号を生成する分周回路２１、を備えている。
【００１５】
また、制御部１８は、１秒当たりの基準周期数に基づいて、当該基準周期ごとに前記針の運針の基準を示す基準クロックを出力する基準クロック出力部１８１、スイッチ１９の押下に基づいてクロノグラフ機能の動作開始または動作停止を検出する動作検出部１８２、内部カウンタ１４のカウントする値を読み取るカウント値読み取り部１８３、時刻針の駆動タイミング信号とクロノグラフ針の駆動タイミング信号が重なるかを判定するタイミング重複判定部１８４、時刻針の駆動タイミング信号とクロノグラフ針の駆動タイミング信号が重なると判定した場合に、時刻針の駆動タイミング信号の出力を遅らせる、または時刻針の駆動タイミング信号の出力を早める、またはクロノグラフ針の駆動タイミング信号の出力を遅らせる駆動タイミング変更要求を、時刻針駆動タイミング発生部へ送信する駆動タイミング信号変更部１８５、時刻針の駆動タイミングと一致する内部カウンタのカウント値を予め記憶するカウント値記憶部１８６、を備えている。
【００１６】
そして、本実施形態による電子時計１は、クロノグラフ針の駆動タイミング信号を出力した際に読み取った内部カウンタがカウントした値と、カウント値記憶部１８６に予め記憶されているカウント値とを比較して一致する場合に、時刻針の駆動タイミング信号とクロノグラフ針の駆動タイミング信号が重なると判定し、時刻針の駆動タイミングを遅らせるか早めるかの何れかの処理を行う。
これにより、本実施形態における電子時計１は、指針の運針のムラを除去する動作を行う。
【００１７】
図２はタイミング変更前の電子時計内部の各信号のタイミング状態を示す図である。
図３はタイミング変更後の電子時計内部の各信号のタイミング状態を示す第１の図である。
図４はタイミング変更後の電子時計内部の各信号のタイミング状態を示す第２の図である。
図５は電子時計の動作のフローを示す図である。
次に、図２〜図５を用いて電子時計１の動作の詳細について説明する。
電子時計１においては、まず、発振回路２０によって発振される周波数に基づいて分周回路２１が時刻計時用クロック信号を生成する。そして、その信号に基づいて、基準クロック出力部１８１が、図２に示すように、例えば１／１０秒ごとに繰り返す基準クロックを出力する。そして時刻針駆動タイミング発生部１３は、基準クロックを入力すると、例えば秒針であれば、その基準クロック１０回の入力のうち１回の時刻針駆動タイミング信号を出力する。なお、基準クロックが１／１０００秒ごとに繰り返し出力されるような場合には、時刻針駆動タイミング発生部１３は、秒針であれば、例えば、１秒間のうちの１０００回の基準クロックの入力のうち最初の１回目から１００回目までの基準クロックの入力期間に１回の時刻針駆動タイミング信号を出力するようにすればよい（基準クロックの入力のうち最初の１回目から１００回目までの基準クロックの入力期間でなく、１０１回目から２００回目までの基準クロックの入力期間に１回の時刻針駆動タイミング信号を出力してもよい）。このような状態において、ユーザのスイッチ１９の押下により動作検出部１８２がクロノグラフの動作開始を検出すると（ステップＳ１０１）、動作検出部１８２は動作開始信号をクロノグラフ針駆動タイミング発生部１７およびカウント値読み取り部１８３へ出力する。
【００１８】
すると、カウント値読み取り部１８３は、内部カウンタ１４からカウント値を読み取る（ステップＳ１０２）。ここで内部カウンタ１４におけるカウント値は、基準クロック出力部１８１から出力される基準クロックを時刻針駆動タイミング発生部１３で入力した際の、１秒当たりの基準クロックの数を、１秒ごとに繰り返しカウントした値である。つまり、基準クロック出力部１８１が１／１０秒に１回の基準クロックを出力するような場合には、内部カウンタ１４は１秒間に０〜９までのカウントを行い、１秒ごとにそのカウントを繰り返している。そして、動作開始検出時における、内部カウンタ１４がカウントしたこの値を、カウント値読み取り部１８３が読み取る。そしてカウント値読み取り部１８３は読み取ったカウント値をタイミング重複判定部１８４へ出力する。またタイミング重複判定部１８４は次に、カウント値記憶部１８６から当該カウント値記憶部１８６の記憶するカウント値を読み取る（ステップＳ１０３）。そして、タイミング重複判定部１８４は、カウント値読み取り部１８３から入力したカウント値と、カウント値記憶部１８６から読み取ったカウント値が一致するかを判定する（ステップＳ１０４）。そして、タイミング重複判定部１８４は、カウント値が一致する場合には、時刻針動作タイミングとクロノグラフ針動作タイミングとが一致すると判定する。
【００１９】
ここで、時刻針の駆動タイミング（秒針の場合は１秒）と、クロノグラフ針の駆動タイミング（本実施形態においては１／５秒）とが、予め定められたタイミングであり、クロノグラフ針駆動タイミングも基準クロックのタイミングに基づいて計られる。したがって、内部カウンタ１４においてカウントする基準クロックのカウント値のうち、動作開始信号により最初のクロノグラフ針の駆動タイミング信号が出力されるのと同時刻にカウントされるカウント値が、どのカウント値であれば、時刻針の駆動タイミングと一致してしまうかが分かる。たとえば、本実施形態のように、時刻針の駆動タイミング信号が１秒ごとであり、クロノグラフ針の駆動タイミング信号が１／５秒であれば、１／１０秒ごとに出力される基準クロックの０〜９のカウント値のうち、０，２，４，６，８の偶数のカウント値のカウント時に、動作開始信号により最初のクロノグラフ針の駆動タイミング信号が出力される場合に、当該クロノグラフ針と時刻針の駆動タイミングが一致してしまう。従って、予めカウント値記憶部１８６には、クロノグラフ針と時刻針の駆動タイミングが一致すると予め分かっている基準クロックの内部カウンタ１４におけるカウント値を記憶している。そして、タイミング重複判定部１８４は、図２で示すように、動作開始信号に基づいて出力される最初のクロノグラフ針の駆動タイミング信号が、内部カウンタ１４における基準クロックのカウント値の０，２，４，６，８の何れかのカウント時刻と同時刻である場合、つまり、タイミング重複判定部１８４は、カウント値読み取り部１８３から入力したカウント値と、カウント値記憶部１８６から読み取ったカウント値が一致する場合、時刻針動作タイミングとクロノグラフ針動作タイミングとが一致すると判定する。
【００２０】
そして、時刻針動作タイミングとクロノグラフ針動作タイミングとが一致すると判定した場合、タイミング重複判定部１８４は駆動タイミング信号変更部１８５に対して、タイミング信号変更指示を出力する。すると、駆動タイミング信号変更部１８５は、時刻針駆動タイミング発生部１３へ、時刻針の駆動タイミング信号の出力を遅らせる駆動タイミング変更要求を送信する（ステップＳ１０５）。すると、時刻針駆動タイミング発生部１３は、図３で示すように、所定の時間遅らせて、時刻針の駆動タイミング信号を出力する。ここで、タイミングを遅らせる所定の時間は、例えば、時刻針の駆動タイミング信号のパルス幅の時間とクロノグラフ針の駆動タイミング信号のパルス幅の時間とを加算した時間以上、クロノグラフ針の駆動タイミング信号の送信間隔から時刻針の駆動タイミング信号のパルス幅を引いた時間未満であればよい。
【００２１】
他方、ステップＳ１０４において時刻針動作タイミングとクロノグラフ針動作タイミングとが一致しないと判定した場合、スイッチ１９の再押下に基づくクロノグラフの動作停止の検出まで待機する。また、動作検出部１８２は、スイッチ１９の再押下によって動作停止を検出したかを判定し（ステップＳ１０６）、動作停止を検出した場合には、駆動タイミング信号変更部１８５へ時刻針の駆動タイミング信号の出力を初期に戻す駆動タイミング解除を通知する。すると、駆動タイミング信号変更部１８５は、駆動タイミング解除信号を時刻針駆動タイミング発生部１３へ出力する（ステップＳ１０７）。これにより、時刻針駆動タイミング発生部１３は、時刻針の駆動タイミング信号の出力を遅らせる動作解除して（タイミング不一致により遅らせる動作をしていない場合には駆動タイミング解除信号を破棄する）、クロノグラフ針の動作前のタイミングで、時刻針を駆動させる駆動タイミング信号を時刻用モータ駆動部１２へ出力する。
【００２２】
なお、図４で示すように、制御部１８は、時刻針の駆動タイミングを早めるような動作を行うようにしてもよい。この場合、ステップＳ１０４において時刻針動作タイミングとクロノグラフ針動作タイミングとが一致すると判定した場合、ステップＳ１０５において、駆動タイミング信号変更部１８５は、時刻針駆動タイミング発生部１３へ、時刻針の駆動タイミング信号の出力を早める駆動タイミング変更要求を送信する。すると、時刻針駆動タイミング発生部１３は、図４で示すように、所定の時間早めて、時刻針の駆動タイミング信号を出力する。ここで、タイミングを早める所定の時間は、例えば、時刻針の駆動タイミング信号のパルス幅の時間とクロノグラフ針の駆動タイミング信号のパルス幅の時間とを加算した時間以上、クロノグラフ針の駆動タイミング信号の送信間隔の時間から時刻針の駆動タイミング信号のパルス幅を引いた時間未満であればよい。
【００２３】
図６は同実施形態による電子時計の機能構成を示す第２のブロック図である。
図７はタイミング変更後の電子時計内部の各信号のタイミング状態を示す第３の図である。
図６で示す電子時計１の機能構成は、図１で示す電子時計１の機能構成と、駆動タイミング信号変更部１８５の出力がクロノグラフ針駆動タイミング発生部１７へ出力されている点で異なっている。
このように、電子時計１は、駆動タイミング信号変更部１８５の出力、つまり駆動タイミング変更要求をクロノグラフ針駆動タイミング発生部１７へ出力してクロノグラフ針の駆動タイミングを遅らせるようにしてもよい。より具体的には、上述のステップＳ１０４の処理において、時刻針動作タイミングとクロノグラフ針動作タイミングとが一致すると判定した場合、ステップＳ１０５において、駆動タイミング信号変更部１８５は、クロノグラフ針駆動タイミング発生部１７へ、クロノグラフ針の駆動タイミング信号の出力を遅らせる駆動タイミング変更要求を送信する。すると、クロノグラフ針駆動タイミング発生部１７は、図７で示すように、所定の時間遅らせて、クロノグラフ針の駆動タイミング信号を出力する。ここで、タイミングを遅らせる所定の時間は、例えば、時刻針の駆動タイミング信号のパルス幅の時間とクロノグラフ針の駆動タイミング信号のパルス幅の時間とを加算した時間以上、クロノグラフ針の駆動タイミング信号の送信間隔の時間からクロノグラフ針の駆動タイミング信号のパルス幅を引いた時間未満であればよい。
【００２４】
以上の処理によれば、クロノグラフの動作の開始を検出後、直ちに時刻針とクロノグラフ針の駆動タイミングが重なるかを当該重なる事象が発生する前に判定して、重なる場合には、時刻針、またはクロノグラフ針の一方を他方の駆動タイミングと重ならないようにずらすため、どのようなタイミングでクロノグラフの動作開始が指示されても、各指針の運針動作のムラが軽減でき、見栄えを良くすることができる。
【００２５】
なお、上述の処理によれば、クロノグラフの動作開始検出時に内部カウンタ１４がカウントしたカウント値と、予めカウント値記憶部１８６に記録されているカウント値が一致する場合には、時刻針とクロノグラフ針の駆動タイミングが一致すると判定している。しかしながら、基準クロックが１／１０００秒周期で出力される場合等には、クロノグラフ針の駆動タイミング信号のパルス幅の時間内に、その基準クロックが複数回、基準クロック出力部１８１から出力されることとなる。例えばクロノグラフ針の駆動タイミング信号のパルス幅が３ミリ秒であった場合、その駆動タイミング信号の出力時には３回の基準クロックが出力されることとなる。このような場合には、カウント値記憶部１８６にはパルス幅分の連続したカウント値を予め記憶しておくようにすればよい。例えば、基準クロックが１／１０００秒周期で出力され、ロノグラフ針の駆動タイミング信号のパルス幅が３ミリ秒である場合、カウント値記憶部１８６には０〜３，２００〜２０３，４００〜４０３，６００〜６０３，８００〜８０３のカウント値が予め記憶され、このカウント値のカウントが内部カウンタ１４で行われた時刻に、動作開始を検出した場合には、時刻針とクロノグラフ針の駆動タイミングが一致すると判定されることとなる。
【００２６】
なお、上述の電子時計は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。
【００２７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００２８】
１・・・電子時計
１１・・・時刻用モータ
１２・・・時刻用モータ駆動部
１３・・・時刻針駆動タイミング発生部
１４・・・内部カウンタ
１５・・・クロノグラフ用モータ
１６・・・クロノグラフ用モータ駆動部
１７・・・クロノグラフ針駆動タイミング発生部
１８・・・制御部
１９・・・スイッチ
２０・・・発振回路
２１・・・分周回路
１８１・・・基準クロック出力部
１８２・・・動作検出部
１８３・・・カウント値読み取り部
１８４・・・タイミング重複判定部
１８５・・・駆動タイミング信号変更部
１８６・・・カウント値記憶部
【図１】
2011169750.tif 000003
【図２】
2011169750.tif 000004
【図３】
2011169750.tif 000005
【図４】
2011169750.tif 000006
【図５】
2011169750.tif 000007
【図６】
2011169750.tif 000008
【図７】
2011169750.tif 000009